(57)【特許請求の範囲】
【請求項１】
弾性を有するクッション芯材と、該クッション芯材に連続して取着され加熱により収縮する熱収縮繊維を含有した熱収縮部材とを具備してなる家具のクッションであって、
前記熱収縮部材を支持部材に巻き回したのち、前記熱収縮部材を加熱して収縮させることにより、前記クッション芯材を前記支持部材に緊締してなることを特徴とする家具のクッション。
【請求項２】
前記熱収縮部材が、両端を前記クッション芯材の裏面に取着してなる裏当部材であって、この裏当部材と前記クッション芯材の間に形成される袋状の隙間に前記支持部材を挿入してなることを特徴とする請求項１記載の家具のクッション。
【請求項３】
前記熱収縮部材が、前記クッション芯材の表面側に被装されるととともに裏面側にも巻き回してなる上張り地であって、この上張り地と前記クッション芯材の間に形成される袋状の隙間に前記支持部材を挿入してなることを特徴とする請求項１記載の家具のクッション。
【発明の詳細な説明】
【０００１】
【産業上の利用分野】
本発明は、椅子などの家具に使用されるクッションに関するものである。
【０００２】
【従来の技術】
従来の、例えば椅子の肘掛けを構成するクッションとしては、クッション芯材の裏面に塗布した接着剤、裏面に添着した両面テープ、あるいは両端に取着したマジックテープなどを介して肘掛けを支持する支持部材に固定するものが知られている。また、支持部材に係合孔を設けてねじを螺合することにより固定するもの、また支持部材にタッカを打設して固定するものも知られている。
【０００３】
【発明が解決しようとする課題】
ところが、このような構成の家具のクッションであると、製造が繁雑であり、かつ形状の自由度が低い、という不具合がある。
【０００４】
すなわち、接着剤や両面テープを用いる場合には、クッション芯材を支持部材に取り付ける際の作業が繁雑となるばかりでなく、接着する面の形状や接着の具合によっては固定強度が不足しがちであるとともに、接着面を大きく取らないと確実な固定を行うことができないためクッション芯材及び支持部材の形状の自由度が制約されざるを得ない。また、マジックテープを用いる場合には、比較的取付作業は容易となるものの、固定強度は自ずから低いものとなるばかりでなく、マジックテープが外面に露出するため外観に制約をもたらしてしまう。また、ネジやタッカを用いる場合には、取付作業はやはり繁雑であり、また固定の際にねじやタッカによりクッション芯材が押圧されて変形を招く恐れもある。さらに、いずれの場合にも固定用の部材が必要であり、部品点数及び製造工程の増大を招くとともに製造作業を繁雑なものとしてしまう。
【０００５】
本発明は、このような課題を解決した家具のクッションを提供することを目的としている。
【０００６】
【課題を解決するための手段】
本発明は、かかる目的を達成するために、次のような構成を採用したものである。
【０００７】
すなわち、本発明に係る家具のクッションは、弾性を有するクッション芯材と、該クッション芯材に連続して取着され加熱により収縮する熱収縮繊維を含有した熱収縮部材とを具備してなるものであって、前記熱収縮部材を支持部材に巻き回したのち、前記熱収縮部材を加熱して収縮させることにより、前記クッション芯材を前記支持部材に緊締してなることを特徴とする。
【０００８】
具体的な実施の態様としては、前記熱収縮部材が、両端を前記クッション芯材の裏面に取着してなる裏当部材であり、この裏当部材と前記クッション芯材の間に形成される袋状の隙間に前記支持部材を挿入してなるものや、前記熱収縮部材が、前記クッション芯材の表面側に被装されるととともに裏面側にも巻き回してなる上張り地であり、この上張り地と前記クッション芯材の間に形成される袋状の隙間に前記支持部材を挿入してなるものが挙げられる。
【０００９】
【作用】
このように構成される家具のクッションであると、予め熱収縮部材を、それが収縮していない状態で支持部材に巻き回しておき、しかる後、熱収縮部材を熱収縮させることによって、クッション芯材を支持部材に密接に固定することができる。このため、格別な固定用部材を不要にできるほか、熱収縮部材を支持部材に巻き回す作業を緩やかな状態で行うことができ、さらに巻き回した後は熱風を吹き付ける等の極めて簡単な作業を行うだけで取り付けを完了することができる。したがって、このクッションの取付けに要する工数及び労力を大幅に削減することが可能になる。また、熱収縮部材は支持部材にクッションの一部として自然な状態で巻き回されるため、外観に奇異な印象を与えることがない。その上、熱収縮部材は収縮時に支持部材の形状に適合して変形し、均一且つ高い密着状態を実現する。このため、クッション芯材と支持部材の間に必要な固定強度を得ることが容易であり、クッション芯材や支持部材をむやみに変形させることがないばかりか、それらの形状に特に制約を課すこともなく、デザイン上の自由度を向上させることが可能になる。
【００１０】
また、熱収縮部材を裏当部材もしくは上張り地として構成し、クッション芯材との間で支持部材を包み込むようにして収縮させれば、外観に違和感を与えることなく上記の作用を得ることができる。
【００１１】
【実施例】
以下、本発明を椅子の肘掛けに適用した一実施例を、図１〜図２を参照して説明する。
【００１２】
この椅子の肘掛け１は、図１及び図２に示すように、弾性を有するクッション芯材２と、クッション芯材２の裏面２ａ側に両端３ａを取着してなる熱収縮部材たる裏当部材３により構成されるもので、クッション芯材２と裏当部材３の間に袋状の隙間１ａを形成している。
【００１３】
クッション芯材２は、ウレタン等を用いて一体成形された細長い略直方体形状のもので、表面２ｂ側には化粧用の上張り地４が被装され、下面にはウレタン等が露出している。そして、この露出した下面を部分円筒状に凹陥させてある。
【００１４】
裏当部材３は、加熱することにより収縮する熱収縮繊維たる超高収縮ポリエステル繊維を生地の内部に円周方向に沿って編み込んだ略長方形のもので、両端３ａを前記上張り地４の両端２ｃに縫製して取着されている。
【００１５】
このような構成の肘掛け１は、椅子のフレームの一部であり肘掛け１が取り付けられるべき位置に延出させた支持部材５に固定される。支持部材５は、断面円筒形状のステンレスパイプであって、図示しない椅子の脚等に連接されている。
【００１６】
このような肘掛け１の支持部材５への固定は次の手順で行う。まずクッション芯材２の凹陥した下面と裏当部材３との間に形成される円筒状の空間１ａに支持部材５を挿入する。このとき、予めその空間１ａを支持部材５の外形よりも若干大きく設定しておき、挿入を余裕をもって行えるようにする。しかる後、裏当部材３に熱風などを吹き付ける等して加熱する。すると、裏当部材３の円周方向に沿って包含させた超高収縮ポリエステル繊維が熱収縮するため、裏当部材３は円周方向に収縮して支持部材５の周囲に噛みつくように密着し、このときクッション芯材２が裏当部材３を介して支持部材５に固定されることになる。
【００１７】
このような構成の肘掛け１であると、予め裏当部材３を、それが収縮していない状態で簡単に支持部材５に巻き回すことができ、しかも、熱風を吹き付けるだけで、クッション芯材２を支持部材５に密接に固定することができる。このため、格別な固定用部材を不要にできるほか、裏当部材３を支持部材５に巻き回す作業を緩やかに行うことができ、さらに巻き回した後は熱風を吹き付ける等の極めて簡単な作業を行うだけで取り付けを完了することができる。したがって、従来のものに比べて取付けに要する工数及び労力を大幅に削減することが可能になる。また、裏当部材３は支持部材５に肘掛け１の一部として自然な状態で巻き回されるため、外観に奇異な印象を与えることがない。その上、裏当部材３は収縮時に支持部材５の形状に適合して変形し、均一且つ高い密着状態を実現する。このため、クッション芯材２と支持部材５の間に必要な固定強度を得ることが容易であり、クッション芯材２や支持部材５をむやみに変形させることがないばかりか、それらの形状に特に制約を課すこともなく、デザイン上の自由度を向上させることが可能になる。その上、タッカやビス等のような金属製の取付具が表出するようなこともないため、安全性にも優れたものとなる。
【００１８】
なお、本発明は上述した実施例のみに限定されるものではない。例えば、図３に示す肘掛け１０１は、弾性を有するクッション芯材１０２と、このクッション芯材１０２を表面１０２ｂのみならず裏面１０２ａをも包み込むことができるように袋状に縫製されてなる熱収縮部材たる上張り地１０４とにより構成されるもので、この上張り地１０４とクッション芯材１０２の裏面１０２ａとの間に円筒形状の隙間１０１ａを形成している。上張り地１０４は、前記実施例における裏当部材３と同様に加熱することにより収縮する熱収縮繊維たる高収縮ポリエステル繊維を長手方向に直交する横糸として生地中に編み込んだものである。このような構成の肘掛け１０１でも、この肘掛け１０１を支持部材５に簡単に取り付けて、上張り地１０４の熱収縮を利用して支持部材５に固定することができるので、前記実施例と同様の作用効果を奏するものとなる。
【００１９】
また、図４に示す肘掛け２０１は、支持部材２０５及びクッション芯材２０２が板状をなしているほかは、上張り地２０４や裏当部材２０３などの基本的構成において第１図及び第２図に示したものと同様のものであるが、このものはクッション芯材２０２と支持部材２０５の間を完全に仕切る位置にも熱収縮部材２０６を配設している点で上記実施例と異なっている。このような構成によると、前記実施例と同様の作業効果が奏されるほか、熱収縮部材２０６による収縮力を利用して、クッション芯材２０２の支持部材２０５に対する固定状態をより確実なものにすることができる。
【００２０】
さらに、本発明を、例えば座や背もたれなどに適用することも可能であり、あるいは、熱収縮部材の一端のみをクッション芯材に取着する構成による事も可能である。その他、本発明を逸脱しない範囲で種々変形が可能である。
【００２１】
【発明の効果】
本発明に係る家具のクッションは、以上説明した構成であるから、このクッションの支持部材に対する取付状態を確実なものにすることができる上に、取付に係る作業を従来に比べて大幅に簡略化し、労力及び作業工数の削減を図ることが可能になる。また、クッション材や支持部材の形状を制約しないため、設計の自由度を向上させることができ、外観も有効に向上させることが可能になる。さらに、ビスやタッカ等を用いる必要がないため、安全管理上も好ましいものとなる。
【００２２】
また、熱収縮部材を裏当部材もしくは上張り地として構成した場合には、特に外観において違和感を与えること無く上記の効果を得ることが可能となる。
【００２３】
以上詳述したように、本発明は、取付作業を容易なものとするとともに、外観を向上させつつデザイン上の自由度を向上させることができる、という格別の効果を奏するものである。
【図面の簡単な説明】
【図１】本発明の一実施例を適用した肘掛けの分解斜視図。
【図２】同実施例の取付構造を示す断面図。
【図３】本発明の他の実施例の取付構造を示す断面図。
【図４】本発明の他の実施例の取付構造を示す一部破断した斜視図。
【符号の説明】
１、１０１、２０１…クッション（肘掛け）
１ａ、１０１ａ…隙間
２、１０２、２０２…クッション芯材
２ａ、１０２ａ…裏面
３、２０３…熱収縮部材（裏当部材）
３ａ…両端
５、１０５、２０５…支持部材
１０２ｂ…表面
１０４…熱収縮部材（上張り地）
２０６…熱収縮部材
【図１】
0003593170.tif 000002
【図２】
0003593170.tif 000003
【図３】
0003593170.tif 000004
【図４】
0003593170.tif 000005